(57)【要約】【課題】画像形成装置においてプレビュー表示に用いられた印刷データの印刷設定を、画像形成装置から変更できるようにすること。【解決手段】画像形成装置は、印刷設定を含む印刷データに基づく印刷を行うことが可能な画像形成装置であって、外部装置から印刷データを取得する取得部と、印刷データに基づく印刷イメージをプレビュー表示する表示部と、画像形成装置が備える操作部からの変更操作に応じて、プレビュー表示された印刷イメージに用いられた印刷データの印刷設定を変更する印刷設定変更部と、印刷設定の変更後の印刷データに基づく印刷イメージを表示部にプレビュー表示させる表示制御部とを備える。【選択図】図３
2020123171.tif 000002
【特許請求の範囲】
【請求項１】
印刷設定を含む印刷データに基づく印刷を行うことが可能な画像形成装置であって、
外部装置から前記印刷データを取得する取得部と、
前記印刷データに基づく印刷イメージをプレビュー表示する表示部と、
前記画像形成装置が備える操作部からの変更操作に応じて、前記プレビュー表示された前記印刷イメージに用いられた前記印刷データの前記印刷設定を変更する印刷設定変更部と、
前記印刷設定の変更後の前記印刷データに基づく印刷イメージを前記表示部にプレビュー表示させる表示制御部と
を備えることを特徴とする画像形成装置。
【請求項２】
前記表示部は、
前記画像形成装置が備える排紙トレイの載置面上に設けられる
ことを特徴とする請求項１に記載の画像形成装置。
【請求項３】
前記表示部は、
前記印刷データに基づいて印刷が行われる印刷媒体の実寸大の前記印刷イメージを表示する
ことを特徴とする請求項１または２に記載の画像形成装置。
【請求項４】
印刷設定を含む印刷データに基づく印刷を行うことが可能な画像形成装置による制御方法であって、
外部装置から前記印刷データを取得する取得工程と、
前記印刷データに基づく印刷イメージを表示部がプレビュー表示する表示工程と、
前記画像形成装置が備える操作部からの変更操作に応じて、前記プレビュー表示された前記印刷イメージに用いられた前記印刷データの前記印刷設定を変更する印刷設定変更工程と、
前記印刷設定の変更後の前記印刷データに基づく印刷イメージを前記表示部にプレビュー表示させる表示制御工程と
を含むことを特徴とする制御方法。
【請求項５】
印刷設定を含む印刷データに基づく印刷を行うことが可能な画像形成装置用のプログラムであって、
コンピュータを、
外部装置から前記印刷データを取得する取得部、
前記印刷データに基づく印刷イメージが表示部にプレビュー表示された後、前記画像形成装置が備える操作部からの変更操作に応じて、前記プレビュー表示された前記印刷イメージに用いられた前記印刷データの前記印刷設定を変更する印刷設定変更部、および、
前記印刷設定の変更後の前記印刷データに基づく印刷イメージを前記表示部にプレビュー表示させる表示制御部
として機能させるためのプログラム。
【発明の詳細な説明】
【技術分野】
【０００１】
本発明は、画像形成装置、制御方法、およびプログラムに関する。
【背景技術】
【０００２】
従来、外部装置（例えば、ＰＣ等）から印刷設定を含む印刷データを画像形成装置（例えば、ＭＦＰ等）へ送信することにより、印刷設定に基づく印刷を画像形成装置に行わせる技術が利用されている（例えば、下記特許文献１参照）。
【０００３】
また、従来、画像形成装置において、外部装置から取得した印刷データに基づく印刷イメージを、当該画像形成装置が備える表示部によってプレビュー表示する技術が利用されている。
【発明の概要】
【発明が解決しようとする課題】
【０００４】
しかしながら、従来の技術では、画像形成装置においてプレビュー表示された印刷イメージがユーザが意図するものとは異なる場合であっても、画像形成装置からそのプレビュー表示に用いられた印刷データの印刷設定を変更することができない。
【０００５】
本発明は、上述した従来技術の課題を解決するため、画像形成装置においてプレビュー表示に用いられた印刷データの印刷設定を、画像形成装置から変更できるようにすることを目的とする。
【課題を解決するための手段】
【０００６】
上述した課題を解決するために、本発明の画像形成装置は、印刷設定を含む印刷データに基づく印刷を行うことが可能な画像形成装置であって、外部装置から印刷データを取得する取得部と、印刷データに基づく印刷イメージをプレビュー表示する表示部と、画像形成装置が備える操作部からの変更操作に応じて、プレビュー表示された印刷イメージに用いられた印刷データの印刷設定を変更する印刷設定変更部と、印刷設定の変更後の印刷データに基づく印刷イメージを表示部にプレビュー表示させる表示制御部とを備える。
【発明の効果】
【０００７】
本発明によれば、画像形成装置においてプレビュー表示に用いられた印刷データの印刷設定を、画像形成装置から変更することができる。
【図面の簡単な説明】
【０００８】
【図１】本発明の一実施形態に係る印刷システムのシステム構成を示す図
【図２】本発明の一実施形態に係るＭＦＰのハードウェア構成図
【図３】本発明の一実施形態に係るＭＦＰの機能構成を示す図
【図４】本発明の一実施形態に係るＭＦＰによる処理の手順を示すフローチャート
【発明を実施するための形態】
【０００９】
以下、図面を参照して、本発明の一実施形態について説明する。
【００１０】
（印刷システム１０のシステム構成）
図１は、本発明の一実施形態に係る印刷システム１０のシステム構成を示す図である。図１に示すように、印刷システム１０は、ＭＦＰ（Ｍultifunction Peripheral/Product/Printer）１００およびＰＣ（Personal Computer）２０を備えて構成されている。ＭＦＰ１００およびＰＣ２０は、ネットワーク３０（例えば、ＬＡＮ（Local Area Network）、インターネット等）を介して互いに接続されている。
【００１１】
ＰＣ２０は、「外部装置」の一例であり、ユーザによって操作される端末装置である。ＰＣ２０は、ＭＦＰ１００に対応するプリンタドライバを備えており、当該プリンタドライバにより、ＰＣ２０のディスプレイに対する印刷設定画面の表示、ユーザからの印刷設定の受け付け、ＭＦＰ１００に対する印刷実行要求等を行うことができる。
【００１２】
ＰＣ２０は、ＭＦＰ１００に対して、印刷データを含む印刷実行要求を送信することにより、ＭＦＰ１００に対して、印刷データに基づく印刷処理を行わせることができる。印刷データは、印刷対象の画像データと、印刷設定とを含んでいる。印刷設定は、用紙サイズ、集約、ステープル、パンチ、製本等、ＰＣ２０の印刷設定画面から設定された各種印刷設定が示されている。これにより、ＭＦＰ１００は、画像データに基づく画像を、印刷設定に基づく印刷設定で、印刷用紙（「印刷媒体」の一例）に印刷することができる。
【００１３】
ＭＦＰ１００は、「画像形成装置」の一例である。ＭＦＰ１００は、プリンタ機能、スキャナ機能等を有する、いわゆる複合機である。ＭＦＰ１００は、操作パネル１４０、フィニッシャ１００Ａ、排紙トレイ１００Ｂ、および電子ペーパー１６０を備える。操作パネル１４０は、パネル表示部１４０ａおよび操作パネル１４０ｂを備えている。パネル表示部１４０ａは、現在の設定値や選択画面等を表示させ、操作者からの入力を受け付けるタッチパネル等である。操作パネル１４０ｂは、濃度の設定条件などの画像形成に関する条件の設定値を受け付けるテンキー及びコピー開始指示を受け付けるスタートキー等からなる。
【００１４】
フィニッシャ１００Ａは、印刷データに含まれる印刷設定に基づいて、印刷がなされる印刷用紙に対し、シフト処理、ステープル処理、パンチ処理、製本処理等を施す。排紙トレイ１００Ｂは、フィニッシャ１００Ａに設けられており、フィニッシャ１００Ａから出力された印刷済みの印刷用紙が排出される。電子ペーパー１６０は、「表示部」の一例である。電子ペーパー１６０は、排紙トレイ１００Ｂの載置面上に設けられており、印刷データに基づく印刷イメージを表示することができる。なお、「表示部」は、電子ペーパーに限らず、その他の表示装置（例えば、液晶ディスプレイ、有機ＥＬディスプレイ等）を用いてもよい。また、電子ペーパー１６０の設置場所は、排紙トレイ１００Ｂの載置面上に限らない。
【００１５】
（ＭＦＰ１００のハードウェア構成）
図２は、本発明の一実施形態に係るＭＦＰ１００のハードウェア構成図である。図２に示されているように、ＭＦＰ１００は、コントローラ１１０、近距離通信回路１２０、エンジン制御部１３０、操作パネル１４０、ネットワークＩ／Ｆ１５０、および電子ペーパー１６０を備えている。
【００１６】
これらのうち、コントローラ１１０は、コンピュータの主要部であるＣＰＵ１０１、システムメモリ（ＭＥＭ−Ｐ）１０２、ノースブリッジ（ＮＢ）１０３、サウスブリッジ（ＳＢ）１０４、ＡＳＩＣ(Application Specific Integrated Circuit)１０６、記憶部であるローカルメモリ（ＭＥＭ−Ｃ）１０７、ＨＤＤコントローラ１０８、及び、記憶部であるＨＤ１０９を有し、ＮＢ１０３とＡＳＩＣ１０６との間をＡＧＰ(Accelerated Graphics Port)バス１２１で接続した構成となっている。ただし、コントローラ１１０の構成はこれに限定されない。例えば、ＣＰＵ１０１、ＮＢ１０３、ＳＢ１０４などの２以上の構成要素をＳｏＣ（System on Chip）によって実現してもよい。この場合、ＳｏＣとＡＳＩＣ１０６との間をPCI-express（登録商標） バスで接続してもよい。
【００１７】
これらのうち、ＣＰＵ１０１は、ＭＦＰ１００の全体制御を行う制御部である。ＮＢ１０３は、ＣＰＵ１０１と、ＭＥＭ−Ｐ１０２、ＳＢ１０４、及びＡＧＰバス１２１とを接続するためのブリッジであり、ＭＥＭ−Ｐ１０２に対する読み書きなどを制御するメモリコントローラと、ＰＣＩ(Peripheral Component Interconnect)マスタ及びＡＧＰターゲットとを有する。
【００１８】
ＭＥＭ−Ｐ１０２は、コントローラ１１０の各機能を実現させるプログラムやデータの格納用メモリであるＲＯＭ１０２ａ、プログラムやデータの展開、及びメモリ印刷時の描画用メモリなどとして用いるＲＡＭ１０２ｂとからなる。なお、ＲＡＭ１０２ｂに記憶されているプログラムは、インストール可能な形式又は実行可能な形式のファイルでＣＤ−ＲＯＭ、ＣＤ−Ｒ、ＤＶＤ等のコンピュータで読み取り可能な記録媒体に記録して提供するように構成してもよい。
【００１９】
ＳＢ１０４は、ＮＢ１０３とＰＣＩデバイス、周辺デバイスとを接続するためのブリッジである。ＡＳＩＣ１０６は、画像処理用のハードウェア要素を有する画像処理用途向けのＩＣ(Integrated Circuit)であり、ＡＧＰバス１２１、ＰＣＩバス１２２、ＨＤＤコントローラ１０８およびＭＥＭ−Ｃ１０７をそれぞれ接続するブリッジの役割を有する。このＡＳＩＣ１０６は、ＰＣＩターゲットおよびＡＧＰマスタ、ＡＳＩＣ１０６の中核をなすアービタ（ＡＲＢ）、ＭＥＭ−Ｃ１０７を制御するメモリコントローラ、ハードウェアロジックなどにより画像データの回転などを行う複数のＤＭＡＣ(Direct Memory Access Controller)、並びに、スキャナ部１３１及びプリンタ部１３２との間でＰＣＩバス１２２を介したデータ転送を行うＰＣＩユニットとからなる。なお、ＡＳＩＣ１０６には、ＵＳＢ(Universal Serial Bus)のインターフェースや、ＩＥＥＥ１３９４(Institute of Electrical and Electronics Engineers 1394）のインターフェースを接続するようにしてもよい。
【００２０】
ＭＥＭ−Ｃ１０７は、コピー用画像バッファ及び符号バッファとして用いるローカルメモリである。ＨＤ１０９は、画像データの蓄積、印刷時に用いるフォントデータの蓄積、フォームの蓄積を行うためのストレージである。ＨＤ１０９は、ＣＰＵ１０１の制御にしたがってＨＤ１０９に対するデータの読出又は書込を制御する。ＡＧＰバス１２１は、グラフィック処理を高速化するために提案されたグラフィックスアクセラレータカード用のバスインタフェースであり、ＭＥＭ−Ｐ１０２に高スループットで直接アクセスすることにより、グラフィックスアクセラレータカードを高速にすることができる。
【００２１】
また、近距離通信回路１２０には、近距離通信回路１２０ａが備わっている。近距離通信回路１２０は、ＮＦＣ、Ｂｌｕｅｔｏｏｔｈ（登録商標）等の通信回路である。
【００２２】
更に、エンジン制御部１３０は、スキャナ部１３１及びプリンタ部１３２によって構成されている。コントローラ１１０は、ＭＦＰ１００全体の制御を行い、例えば、描画、通信、操作パネル１４０からの入力、電子ペーパー１６０による印刷イメージの表示等を制御する。スキャナ部１３１又はプリンタ部１３２には、誤差拡散やガンマ変換などの画像処理部分が含まれている。
【００２３】
なお、ＭＦＰ１００は、操作パネル１４０のアプリケーション切り替えキーにより、ドキュメントボックス機能、コピー機能、プリンタ機能、およびファクシミリ機能を順次に切り替えて選択することが可能となる。ドキュメントボックス機能の選択時にはドキュメントボックスモードとなり、コピー機能の選択時にはコピーモードとなり、プリンタ機能の選択時にはプリンタモードとなり、ファクシミリモードの選択時にはファクシミリモードとなる。
【００２４】
また、ネットワークＩ／Ｆ１５０は、通信ネットワークを利用してデータ通信をするためのインターフェースである。近距離通信回路１２０及びネットワークＩ／Ｆ１５０は、ＰＣＩバス１２２を介して、ＡＳＩＣ１０６に電気的に接続されている。
【００２５】
（ＭＦＰ１００の機能構成）
図３は、本発明の一実施形態に係るＭＦＰ１００の機能構成を示す図である。なお、ここでは、ＭＦＰ１００が有する機能のうち、一般的な機能については図示および説明を省略し、電子ペーパー１６０による印刷イメージの表示に関する機能について図示および説明する。
【００２６】
図３に示すように、ＭＦＰ１００は、取得部３０１、操作部制御部３０２、操作部３０３、印刷設定変更部３０４、表示制御部３０５、表示部３０６、および印刷制御部３０７を備える。
【００２７】
取得部３０１は、ＰＣ２０から送信された印刷データを取得する。取得部３０１によって取得される印刷データは、印刷対象の画像データと、印刷設定（例えば、用紙サイズ、集約、ステープル、パンチ、製本等）とを含んでいる。
【００２８】
なお、ＰＣ２０は、画像データと印刷設定とを、それぞれ異なるタイミングでＭＦＰ１００へ送信してもよく、同時にＭＦＰ１００へ送信してもよい。これに応じて、取得部３０１は、画像データと印刷設定とを、それぞれ異なるタイミングで取得してもよく、同時に取得してもよい。
【００２９】
画像データと印刷設定とを紐づける方法としては、任意の方法を採用することができる。例えば、ＰＣ２０のプリンタドライバは、画像データと印刷設定とのそれぞれに同一の識別子を付加して、画像データと印刷設定とをＭＦＰ１００へ送信することができる。この場合、ＭＦＰ１００は、画像データと印刷設定とのそれぞれに付加された識別子を確認することで、画像データと印刷設定との対応関係を把握することができる。
【００３０】
操作部制御部３０２は、操作部３０３による表示を制御する。例えば、操作部制御部３０２は、取得部３０１によって取得された印刷データが入力される。そして、操作部制御部３０２は、入力された印刷データに含まれている印刷設定（例えば、用紙サイズ、集約、ステープル、パンチ、製本等）を、変更可能に操作部３０３に表示させる。
【００３１】
操作部３０３は、ユーザからの各種操作を受け付ける。例えば、操作部３０３は、操作部制御部３０２に入力された印刷データに対し、ユーザからの印刷設定（例えば、用紙サイズ、集約、ステープル、パンチ、製本等）の変更操作を受け付ける。本実施形態では、操作部３０３は、操作パネル１４０によって実現される。
【００３２】
印刷設定変更部３０４は、操作部制御部３０２に入力された印刷データに対し、操作部３０３から印刷設定の変更操作がなされた場合、当該変更操作に応じて、操作部制御部３０２に入力された印刷データの印刷設定を変更する。
【００３３】
表示制御部３０５は、表示部３０６によるイメージデータのプレビュー表示を制御する。例えば、表示制御部３０５は、取得部３０１によって取得された印刷データが、操作部制御部３０２に入力された場合、当該入力された印刷データに基づく印刷イメージを生成し、当該印刷イメージを表示部３０６にプレビュー表示させる。また、例えば、表示制御部３０５は、印刷設定変更部３０４によって印刷データの印刷設定の変更がなされた場合、当該印刷設定の変更後の印刷データに基づく印刷イメージを生成し、当該印刷イメージを表示部３０６にプレビュー表示させる。ここで、表示制御部３０５は、印刷設定の変更前および変更後のいずれにおいても、印刷データに基づく実寸大の印刷イメージを生成し、当該実寸大の印刷イメージを、表示部３０６にプレビュー表示させる。
【００３４】
表示制御部３０５は、印刷設定に含まれる用紙サイズに応じて、表示部３０６に表示させる印刷イメージのサイズを変更することができる。例えば、印刷設定に含まれる用紙サイズが「Ａ４」である場合、表示制御部３０５は、Ａ４サイズの印刷用紙と同寸大の印刷イメージを、表示部３０６に表示させることができる。
【００３５】
また、表示制御部３０５は、ステープル処理やパンチ処理等の後処理設定に応じて、表示部３０６に表示させる印刷イメージを変更することができる。例えば、表示制御部３０５は、ステープル処理やパンチ処理がなされる位置にステープルやパンチを模した画像が表示された印刷イメージを、表示部３０６に表示させるようにしてもよい。また、例えば、表示制御部３０５は、ステープル処理やパンチ処理がなされることによって、印刷イメージのレイアウトが変更される場合は、変更後のレイアウトによる印刷イメージを表示部３０６に表示させるようにしてもよい。
【００３６】
また、表示制御部３０５は、印刷イメージを静止画として、表示部３０６に表示させるようにしてもよく、印刷イメージを動画として、表示部３０６に表示させるようにしてもよい。例えば、表示制御部３０５は、印刷データが複数枚の印刷ページを含んでいる場合や、印刷設定に両面印刷が設定されている場合、原稿がめくれるような動きのアニメーションを、表示部３０６に表示させるようにしてもよい。このとき、表示部３０６は、印刷設定に含まれる、綴じ方向又は開き方向に応じて表示を変えることができる。つまり、印刷設定のが右開きの場合には右にめくれるように、印刷設定が左開きの場合には左にめくれるように表示する。また、例えば、表示制御部３０５は、印刷用紙がフィニッシャ１００Ａの排出口から排出される動作を、表示部３０６に表示された印刷イメージをスクロール移動させることにより表現してもよい。このとき、表示部３０６は、印刷イメージをフィニッシャ１００Ａの排出口から、排出口とは反対方向へスクロール移動するように表示する。これにより、ユーザが印刷用紙をめくる動作や、印刷用紙が排出される動作を、表示部３０６によって仮想的に表現することができるため、ユーザは直観的に印刷結果を把握することができる。
【００３７】
表示部３０６は、表示制御部３０５の制御により、操作部制御部３０２に入力された印刷データに基づく印刷イメージをプレビュー表示する。また、表示部３０６は、表示制御部３０５の制御により、印刷設定の変更後の印刷データに基づく印刷イメージをプレビュー表示する。本実施形態では、表示部３０６は、ＭＦＰ１００が備える排紙トレイ１００Ｂの載置面上に設けられた電子ペーパー１６０によって実現される。また、本実施形態では、フィニッシャ１００Ａの排紙トレイ１００Ｂに表示部３０６に設けられているが、表示部３０６は、ＭＦＰ１００の本体部の排紙トレイに設けられていても良い。なお、表示部３０６は、ＭＦＰ１００において印刷可能な最大用紙サイズ以上の画面サイズを有してもよい。この場合、表示部３０６は、印刷データに基づいて最大用紙サイズの印刷用紙による印刷がなされる場合であっても、その印刷データに基づく印刷イメージを実寸大で表示することができる。
【００３８】
印刷制御部３０７は、操作部３０３による所定の印刷実行指示操作がなされた場合、操作部制御部３０２から印刷データを取得し、当該印刷データに基づく印刷を、プリンタ部１３２に実行させる。すなわち、印刷制御部３０７は、操作部制御部３０２に入力された印刷データに対し、印刷設定変更部３０４による印刷設定の変更がなされた場合、当該印刷設定の変更後の印刷データに基づく印刷を行う。一方、印刷制御部３０７は、操作部制御部３０２に入力された印刷データに対し、印刷設定変更部３０４による印刷設定の変更がなされなかった場合、当該印刷設定の変更がなされてない印刷データに基づく印刷を行う。
【００３９】
例えば、上記で説明した実施形態の各機能は、ＭＦＰ１００において、各種記憶装置（ＲＯＭ１０２ａ、ＲＡＭ１０２ｂ等）に記憶されたプログラムを、ＣＰＵ１０１（コンピュータ）が実行することにより実現される。このプログラムは、予めＭＦＰ１００に導入された状態で提供されてもよく、外部から提供されてＭＦＰ１００に導入されるようにしてもよい。後者の場合、このプログラムは、外部記憶媒体（例えば、ＵＳＢメモリ、メモリカード、ＣＤ−ＲＯＭ等）によって提供されてもよく、ネットワーク（例えば、インターネット等）上のサーバからダウンロードすることによって提供されるようにしてもよい。
【００４０】
なお、上記で説明した実施形態の各機能は、少なくともＭＦＰ１００において実現されれば良く、実現するハードウェアは問わない。例えば、操作部制御部３０２は、操作部３０３に設けられたハードウェアによって実現されても良いし、ＭＦＰ１００の本体部に設けられたハードウェアによって実現されても良い。また、表示制御部３０５は、ＭＦＰ１００のフィニッシャ１００Ａに設けられたハードウェアによって実現されても良いし、ＭＦＰ１００の本体部または操作部３０３に設けられたハードウェアによって実現されても良い。
【００４１】
また、上記で説明した実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたASIC（Application Specific Integrated Circuit）、DSP（digital signal processor）、FPGA（field programmable gate array）や従来の回路モジュール等のデバイスを含むものとする。
【００４２】
（ＭＦＰ１００による処理の手順）
図４は、本発明の一実施形態に係るＭＦＰ１００による処理の手順を示すフローチャートである。
【００４３】
まず、取得部３０１が、ＰＣ２０から送信された印刷データを取得する（ステップＳ４０１）。次に、表示制御部３０５が、ステップＳ４０１で取得された印刷データに基づく印刷イメージを生成する（ステップＳ４０２）。そして、表示制御部３０５が、ステップＳ４０２で生成された印刷イメージを、表示部３０６にプレビュー表示させる（ステップＳ４０３）。表示制御部３０５は、例えばユーザがＭＦＰ１００にログインしたタイミングや、ＭＦＰ１００が省電力状態や電源ＯＦＦの状態から通常電力状態へ復帰したタイミングで、印刷イメージのプレビュー表示を開始してもよい。ただし、これに限定されず、操作部３０３からプレビュー表示を指示する操作を受け付けたことに応じてプレビュー表示を開始してもよい。
【００４４】
次に、操作部制御部３０２が、操作部３０３による印刷設定の変更操作がなされたか否かを判断する（ステップＳ４０４）。
【００４５】
ステップＳ４０４において、印刷設定の変更操作がなされたと判断された場合（ステップＳ４０４：Ｙｅｓ）、印刷設定変更部３０４が、プレビュー表示された印刷イメージに用いられた印刷データの印刷設定を変更する（ステップＳ４０５）。そして、ＭＦＰ１００は、ステップＳ４０２へ処理を戻す。この場合、表示制御部３０５が、ステップＳ４０５で印刷設定が変更された印刷データに基づく印刷イメージを生成し（ステップＳ４０２）、当該印刷イメージを、表示部３０６にプレビュー表示させる（ステップＳ４０３）。
【００４６】
一方、ステップＳ４０４において、印刷設定の変更操作がなされていないと判断された場合（ステップＳ４０４：Ｎｏ）、操作部制御部３０２が、操作部３０３による所定の印刷実行指示操作がなされたか否かを判断する（ステップＳ４０６）。
【００４７】
ステップＳ４０６において、所定の印刷実行指示操作がなされたと判断された場合（ステップＳ４０６：Ｙｅｓ）、印刷制御部３０７が、プレビュー表示された印刷イメージに用いられた印刷データに基づく印刷を、プリンタ部１３２に実行させる（ステップＳ４０７）。そして、ＭＦＰ１００は、図４に示す一連の処理を終了する。
【００４８】
一方、ステップＳ４０６において、所定の印刷実行指示操作がなされていないと判断された場合（ステップＳ４０６：Ｎｏ）、ＭＦＰ１００は、ステップＳ４０４へ処理を戻す。
【００４９】
図４に示す一連の処理により、本実施形態のＭＦＰ１００は、フィニッシャ１００Ａの排紙トレイ１００Ｂに設けられた電子ペーパー１６０（表示部３０６）に印刷イメージを表示することができる。ユーザは、電子ペーパー１６０に表示された印刷イメージを確認したうえで、操作部３０３から印刷設定を変更することができ、当該印刷設定の変更を、直ちに表示部３０６に表示された印刷イメージに反映させることができる。そして、本実施形態のＭＦＰ１００は、最終的に印刷イメージに問題がないとユーザが判断した場合、操作部３０３による所定の印刷実行指示操作（例えば、スタートボタンの押下）がなされることにより、印刷イメージと同様の印刷を印刷用紙に行うことができる。
【００５０】
以上説明したように、本発明の一実施形態に係るＭＦＰ１００は、ＰＣ２０から印刷データを取得する取得部３０１と、印刷データに基づく印刷イメージをプレビュー表示する表示部３０６と、操作部３０３からの変更操作に応じて、プレビュー表示された印刷イメージに用いられた印刷データの印刷設定を変更する印刷設定変更部３０４と、印刷設定の変更後の印刷データに基づく印刷イメージを表示部３０６にプレビュー表示させる表示制御部３０５とを備える。
【００５１】
これにより、本発明の一実施形態に係るＭＦＰ１００は、当該ＭＦＰ１００においてプレビュー表示に用いられた印刷データの印刷設定を、当該ＭＦＰ１００から変更することができる。
【００５２】
また、本発明の一実施形態に係るＭＦＰ１００において、表示部３０６は、ＭＦＰ１００が備える排紙トレイ１００Ｂの載置面上に設けられる。
【００５３】
これにより、本発明の一実施形態に係るＭＦＰ１００は、印刷用紙が実際にどのように印刷および出力されるかを、ユーザに直感的に把握させることができる。
【００５４】
また、本発明の一実施形態に係るＭＦＰ１００において、表示部３０６は、印刷データに基づいて印刷が行われる印刷媒体の実寸大の印刷イメージを表示することができる。
【００５５】
これにより、本発明の一実施形態に係るＭＦＰ１００は、印刷用紙が実際にどのように印刷および出力されるかを、ユーザに直感的に把握させることができる。
【００５６】
以上、本発明の好ましい実施形態について詳述したが、本発明はこれらの実施形態に限定されるものではなく、特許請求の範囲に記載された本発明の要旨の範囲内において、種々の変形又は変更が可能である。
【００５７】
例えば、表示制御部３０５は、表示部３０６の表示領域のサイズが、印刷設定に含まれている印刷用紙のサイズよりも小さい場合、印刷用紙よりも小さいサイズの印刷イメージを生成して、当該印刷イメージを表示部３０６に表示させるようにしてもよい。
【００５８】
また、例えば、表示制御部３０５は、表示部３０６の表示領域のサイズが、印刷設定に含まれている印刷用紙のサイズよりも小さい場合、印刷用紙と同寸大の印刷イメージを生成して、当該印刷イメージの一部を表示部３０６に表示させるようにしてもよい。
【００５９】
なお、上記実施形態では、本発明を、ＭＦＰに適用した例を説明したが、これに限らず、本発明は、少なくとも印刷設定を含む印刷データに基づく印刷を行うことが可能なものであれば、その他の画像形成装置（例えば、プリンタ、スキャナ等）にも、適用することが可能である。
【符号の説明】
【００６０】
１０  印刷システム
２０  ＰＣ
３０  ネットワーク
１００  ＭＦＰ（画像形成装置）
１００Ａ  フィニッシャ
１００Ｂ  排紙トレイ
３０１  取得部
３０２  操作部制御部
３０３  操作部
３０４  印刷設定変更部
３０５  表示制御部
３０６  表示部
３０７  印刷制御部
【先行技術文献】
【特許文献】
【００６１】
【特許文献１】特開２０１４−００５２４１号公報
【図１】
2020123171.tif 000003
【図２】
2020123171.tif 000004
【図３】
2020123171.tif 000005
【図４】
2020123171.tif 000006